(57)【特許請求の範囲】
【請求項１】
本体開口部の相対する両面に摺動溝を持った本体レールと扉側面部の相対する両面に摺動溝を持った扉レールを備えると共に前記本体レールに設けた摺動溝の外側に本体固定ピンと前記扉レールに設けた摺動溝の外側に扉固定ピンを備え、前記本体レールの摺動溝に前記扉固定ピンが摺動自在に嵌合し前記扉レールの摺動溝に前記本体固定ピンが摺動自在に嵌合する構造とし前記本体レールと扉レールは本体開口部と並行に設けた電気機器収納用キャビネット。
【請求項２】
前記扉レール摺動溝の片端部は扉の表面側に屈曲し前記本体レール摺動溝の片端部は本体の背面側に屈曲し、扉閉時には本体固定ピンが前期扉レールの摺動溝の屈曲部に落ち込み又扉固定ピンが前記本体レールの摺動溝の屈曲部に落ち込むと共に本体と扉の隙間に設けられたパッキンが加圧密閉される構造とした請求項１に記載の電気機器収納用キャビネット。
【請求項３】
前記本体レールの摺動溝の屈曲部端に凹部を形成し扉閉時には前記扉固定ピンが前記凹部で係止する構造の請求項１または２に記載の電気機器収納用キャビネット。
【発明の詳細な説明】
【技術分野】
【０００１】
本発明は電気及び電子機器収納用キャビネットの扉開閉構造に関するものである。
【背景技術】
【０００２】
扉の開閉が省スペースで行なえるスライド構造を有する従来キャビネットはスライドレールにより支持された扉を上下あるいは左右にスライドさせて開閉する機構であるが、従来構造の扉の密閉対策を解消するための手段が講じておらず顧客の要望するキャビネット性能を十分に満足する製品には至っていなかった。
【特許文献１】特開２００１−３３９１７３号公報
【発明の開示】
【発明が解決しようとする課題】
【０００３】
上記の従来技術では単に本体と扉をスライドレールで支持し扉をスライド動作により開閉させる構造で扉は本体開口面と並行に動くためこのような開閉動作では密閉構造の防塵及び防水性能を有するキャビネットの製作が困難であった。
【課題を解決するための手段】
【０００４】
そこで本発明は簡単な構造で本体と扉に設けたレールの摺動溝に各々扉と本体に設けた固定ピンを摺動自在に嵌合させた扉のスライド構造を特徴とする。
【０００５】
又前記本体レールの摺動溝の一端を本体の背面側に屈曲させ扉側レールの摺動溝の一端は扉の表面側に屈曲させて、扉閉時には扉と本体が接近するように扉開時には扉と本体が離れる方向にスライド動作する構造と扉内面にパッキンを設け防塵防水性能を有する構造とした。
【発明の効果】
【０００６】
上記のように本発明の電気機器収納用キャビネットの扉をスライド動作にて開閉する扉開閉構造では、従来困難であった密閉構造のキャビネットを簡単な構造で実現することが出来、顧客が要求する防塵防水性能を有する電気機器収納用キャビネットを提供することが可能となった。
【発明を実施するための最良の形態】
【０００７】
以下本発明の実施の形態について図１〜図４で本発明の第１の実施の形態について説明する。キャビネットの本体１は開口部１９を持ち該開口部１９の周囲は水切り構造で第１の水平壁３と垂直壁４と第２の水平壁５から成る。並行する水切り部の水平壁３と水平壁５で形成されたスペース部６には摺動溝８を有する左右対称形状の本体レール７が装着され本体レール７の下端には摺動溝８と垂直方向に本体固定ピン９が突設された構造である。
【０００８】
扉２は周囲３辺を同一方向へ屈曲させた盆形状である、該扉２の周囲３辺のうち前記本体レール７と対応する平行な２辺には摺動溝１０を有する左右対称形状の扉レール１１が装着され扉レール１１の上端には該扉レールの摺動溝１０と垂直方向に扉固定ピン１２が突設された構造である。
【０００９】
本体１に扉２が装着された状態を説明すると、本体１のスペース部６に装着された本体レール７の摺動溝８には扉２に設けられた扉固定ピン１２が摺動可能な状態に嵌合されている。又扉２の平行な２辺に装着された扉レール１１の摺動溝１０には本体１に突設された本体固定ピン９が摺動可能な状態に嵌合されている。
【００１０】
すなわち扉２は本体レール７の摺動溝８と扉レール１１の摺動溝１０の溝形状に沿って扉固定ピン１２と本体固定ピン９が安定して摺動可能となるため、扉２の開閉軌跡は前記の摺動溝８及び１０の形状により自在に操作可能となる。
請求項１は扉２を本体１に対し並行なスライド動作で開閉するために前記摺動溝８及び１０の形状を直線状にしたものである。
尚、１８は減摩擦材で摺動部の動作をスムーズにするもので特に用いなくても本発明の効果は変わるのもではない。
【００１１】
次に本発明の実施の形態について図５〜図９で本発明の第２実施の形態について説明する。本体１のスペース部６に装着された本体レール７の摺動溝８の一端を本体１の背面方向に屈曲させた屈曲部１３を形成し、扉２の平行な２辺に装着された扉レール１１の摺動溝１０の一端は扉２の表面方向に屈曲させた屈曲部１４を形成した形状になっている。
【００１２】
扉２の開閉軌跡を図７で説明すると扉２が開状態では第１の実施の形態で説明したように本体レール７の摺動溝８と扉レール１１の摺動溝１０の溝形状に沿って扉固定ピン１２と本体固定ピン９が安定して摺動するので扉２は本体１に対して並行なスライド動作をする。扉２が閉状態になると扉固定ピン１２は本体レール７の摺動溝８の屈曲部１３に摺動して扉２は本体１側に案内される、又扉レール１１の摺動溝１０の屈曲部１４は本体固定ピン９により扉２は本体１側に案内される。
【００１３】
以上の説明から明らかなように扉２の開閉軌跡は閉状態になると本体１と扉２は接近状態になる、すなわち本体１の水切り部の第２の水平壁５と扉２とで構成される隙間が狭くなる、この隙間をパッキンスペース１５としてパッキン１６を設けると扉２が開状態の時は適当な空間を保持して扉の動きを妨げないが、閉状態になると水平壁５と扉２とで構成される隙間すなわちパッキンスペース１５が狭くなりパッキンに適正な加圧が生じ密閉状態となり防塵防水効果が得られることになる。
尚本発明の実施の形態では本体及び扉レールの各々一端に屈曲部１３及び１４を形成したが本体側あるいは扉側のどちらか片方に設けてもよい。
【００１４】
図９は本発明の第３の実施の形態で、前記した本体レール７の摺動溝８の一端を本体１の背面方向に屈曲させた屈曲部１３の先端部には凹部１７が形成してあり、扉２が閉状態の時扉固定ピン１２がパッキン１６の弾性を利用した反発力により係止する形状で扉２の自由な動作を制限する効果を有する。
【００１５】
尚本発明の実施の形態では扉レール１１は周囲３辺を同一方向へ屈曲させた盆形状の扉２の対応する平行な２辺に装着した別部材構造としているが図１０に示すように扉２と一体成形しても効果は同じである。
更に本体レール７は本体１に装着する別部材構造としているが図１１に示すように本体１と一体成形し摺動溝８を設けても良い。
【図面の簡単な説明】
【００１６】
【図１】本発明の実施形態を示す電気機器収納用キャビネットの全体斜視図である。
【図２】本発明の実施形態を示す扉の縦断面図である。
【図３】本発明の実施形態を示す本体の縦断面図である。
【図４】本発明の実施形態を示すキャビネットの横断面図の一部である
【図５】第２の実施形態を示す本体レールの部分図面である
【図６】第２の実施形態を示す扉レールの部分図面である
【図７】第２の実施形態を示すキャビネットの縦断面図である
【図８】第２の実施形態を示すキャビネットの横断面図の一部である
【図９】第３の実施形態を示す本体レールの部分図面である
【図１０】本発明の実施形態の実施例を示すキャビネットの横断面図の一部である
【図１１】本発明の実施形態の実施例を示すキャビネットの横断面図の一部である
【符号の説明】
【００１７】
１  本体
２  扉
３  第１の水平壁
４  垂直壁
５  第２の水平壁
６  スペース部
７  本体レール
８  摺動溝
９  本体固定ピン
１０  摺動溝
１１  扉レール
１２  扉固定ピン
１３  屈曲部
１４  屈曲部
１５  パッキンスペース
１６  パッキン
１７  凹部
１８  減摩擦材
１９  開口部
２０  覆い部
２１  引き手
【図１】
0004650636.tif 000002
【図２】
0004650636.tif 000003
【図３】
0004650636.tif 000004
【図４】
0004650636.tif 000005
【図５】
0004650636.tif 000006
【図６】
0004650636.tif 000007
【図７】
0004650636.tif 000008
【図８】
0004650636.tif 000009
【図９】
0004650636.tif 000010
【図１０】
0004650636.tif 000011
【図１１】
0004650636.tif 000012